(57)【特許請求の範囲】
【請求項１】
係止孔を有する内筒体内に、カム面を有する回転カム筒を内筒体の後端開口部より頭端部を突出させて収容し、カム突起を有する摺動体を、前記回転カム筒のカム面にカム突起を当接させるとともにカム突起を内筒体の係止孔に係止して収容し、駆動体を、内筒体の後端開口部より突出した回転カム筒の頭端部に連結するとともに回転軸筒の回転に連動して回転可能に回転軸筒に連接してなる構成の回転繰出機構を有する回転繰出式筆記具において、前記回転カム筒の頭端部の端面に嵌合突出部を形成し、頭端面に前記嵌合突出部が嵌合する嵌合孔を有し、かつ外周面に軸径方向に弾力を有するように外側に向かって突出した突起部を有した金属製のキャップを形成して、該キャップを、嵌合孔に前記嵌合突出部を嵌合しかつ回転カム筒の頭端部に対して前後動しないようにして装着し、前記嵌合突出部の嵌合孔への嵌合によりキャップの回転に伴って回転カム筒を回転可能とし、駆動体をキャップの前記突起部により圧入状態でキャップに装着して連結することを特徴とする回転繰出式筆記具。
【請求項２】
前記キャップを回転カム筒の頭端部に対して前後動しないように回転カム筒の頭端部に装着する手段として、キャップの外周面にコ字型に切断して閉塞頭端面側を自由端とし内方に向けて折曲げてなる突片を設け、回転カム筒の頭端部の外周面に前記突片に対応した係止溝を形成してなる手段である、請求項１に記載の回転繰出式筆記具。
【請求項３】
前記回転カム筒の頭端部の係止溝の軸心に沿った方向の線上の頭端面側の頭端部の位置に、頭端面に開口し係止溝に接続しない突片の自由先端が係止可能なガイド溝を設けてなる、請求項２に記載の回転繰出式筆記具。
【発明の詳細な説明】
【技術分野】
【０００１】
本発明は、回転繰出式筆記具に係り、係止孔を有する内筒体と、カム突起を有する摺動体と、カム面を有する回転カム筒と、駆動体とで構成される回転繰出機構を有する回転繰出式筆記具に関する。
【背景技術】
【０００２】
従来、係止孔を有する内筒体内に、カム面を有する回転カム筒を内筒体の後端開口部より頭端部を突出させて収容し、カム突起を有する摺動体を、前記回転カム筒のカム面にカム突起を当接させるとともにカム突起を内筒体の係止孔に係止して収容し、駆動体を、内筒体の後端開口部より突出した回転カム筒の頭端部に連結するとともに回転軸筒の回転に連動して回転可能に回転軸筒に連接してなる構成の回転繰出機構を有し、相対的に回転可能に連設した前軸と後軸において、後軸を回転軸筒として前軸に対して回転することにより、駆動体、回転カム筒が回転し、回転カム筒のカム面と該カム面に当接する摺動体のカム突起のカム作用で摺動体が前後動し、それにともない軸筒内に収容されたレフィルも前後動して筆記先端を前軸の先端開口部より出没させてなる回転繰出式筆記具は知られている。
【０００３】
図１３に示すように、従来、こうした構造の回転繰出式筆記具５０においては、回転カム筒５１は、内筒体５２の後端部開口部５３より回転カム筒５１の頭端部５１ａを後方に突出させて配設してある。頭端部５１ａには駆動体５４が平行ピン５５で固定されており、駆動体５４の後端は、例えば雄ねじ部５６を形成して、後軸５７の後端に装着した頭冠５８の雌ねじ部５９に螺着する等し、頭冠５８をリング６０等を介して後軸５７に圧接状態で連接してあり、後軸５７に連動して頭冠５８および駆動体５４が回転可能となるようにしてある。また内筒体５２は、前方端部を接続筒６１等を介して前軸６２に連結してある。
【０００４】
ところで、前軸６２と後軸５７が相対的に回転可能とするためには前軸６２の後端面と後軸５７の先端面が当接して回転の妨げとならないように隙間を設けて配設する必要があるが、各部材の全長の寸法公差との関わり合いから、各部材を組立てて回転繰出式筆記具を完成した際には、前記隙間の距離にばらつきが生じてしまう。こうした隙間距離のばらつきを隠すために、その隙間を外方から見えないように後軸５７の先端部分に装飾リング６３を装着するなどして隙間部分を被覆していた。当然、装飾リング６３の装着の工程費や部材費が掛かり、こうした回転繰出式筆記具における製造コストは高くなる。
【０００５】
そこで本発明者達は、前記隙間距離がばらつかず一定の距離に組立てることができれば、前記装飾リングを装着する必要がなくなると考え、前記隙間距離を一定にするにはどのようにしたらよいかを種々検討した。その結果、複雑な構造とすることなく、また従来の製造工程を大幅に変更することなく前記課題を達成するには、回転カム筒と駆動体をピンを介しての結合ではなく、回転カム筒の頭端部を駆動体内に圧入等の方法により連結できれば、回転カム筒の頭端部の駆動体内への挿入距離を調整することで、前記隙間距離を一定にすることが可能であることを知った。
【０００６】
しかし、回転カム筒の頭端部を駆動体内に圧入して駆動体の回転に連動して回転カム筒を確実に回転させ、かつ圧入の距離を調整できさらに容易に移動しないように、回転カム筒の頭端部と駆動体の内径寸法を、さらに各寸法の公差寸法を踏まえた上で寸法管理するのは、現実問題として難しい。また、回転カム筒の頭端部の外周面に突起部を形成して頭端部を駆動体内に圧入しようとしても、回転カム筒および駆動体は合成樹脂で形成してあり、前記突起部が回転の際の摩擦抵抗等により摩耗してしまい、回転カム筒の回転が損なわれてしまう。
【特許文献１】特開平７−２３７３９４号号公報
【特許文献２】特開２００５−２０５７４３号公報
【発明の開示】
【発明が解決しようとする課題】
【０００７】
本発明の課題は、係止孔を有する内筒体と、カム突起を有する摺動体と、カム面を有する回転カム筒と、駆動体とで構成される回転繰出機構を有する回転繰出式筆記具において、回転繰出機構を作動するための回転軸筒と非回転軸筒との間に生じる隙間の距離が一定に保たれるように、駆動体を回転カム筒に対して任意の位置で連結可能としたものである。
【課題を解決するための手段】
【０００８】
本発明は、
「１．係止孔を有する内筒体内に、カム面を有する回転カム筒を内筒体の後端開口部より頭端部を突出させて収容し、カム突起を有する摺動体を、前記回転カム筒のカム面にカム突起を当接させるとともにカム突起を内筒体の係止孔に係止して収容し、駆動体を、内筒体の後端開口部より突出した回転カム筒の頭端部に連結するとともに回転軸筒の回転に連動して回転可能に回転軸筒に連接してなる構成の回転繰出機構を有する回転繰出式筆記具において、前記回転カム筒の頭端部の端面に嵌合突出部を形成し、頭端面に前記嵌合突出部が嵌合する嵌合孔を有し、かつ外周面に軸径方向に弾力を有するように外側に向かって突出した突起部を有した金属製のキャップを形成して、該キャップを、嵌合孔に前記嵌合突出部を嵌合しかつ回転カム筒の頭端部に対して前後動しないようにして装着し、前記嵌合突出部の嵌合孔への嵌合によりキャップの回転に伴って回転カム筒を回転可能とし、駆動体をキャップの前記突起部により圧入状態でキャップに装着して連結することを特徴とする回転繰出式筆記具。
２．前記キャップを回転カム筒の頭端部に対して前後動しないように回転カム筒の頭端部に装着する手段として、キャップの外周面にコ字型に切断して閉塞頭端面側を自由端とし内方に向けて折曲げてなる突片を設け、回転カム筒の頭端部の外周面に前記突片に対応した係止溝を形成してなる手段である、１項に記載の回転繰出式筆記具。
３．前記回転カム筒の頭端部の係止溝の軸心に沿った方向の線上の頭端面側の頭端部の位置に、頭端面に開口し係止溝に接続しない突片の自由先端が係止可能なガイド溝を設けてなる、２項に記載の回転繰出式筆記具。」
とするものである。
【０００９】
本発明では、回転カム筒の嵌合突出部をキャップの嵌合孔に嵌合させることで、キャップの回転に伴って回転カム筒も回転可能とするが、そのための前記嵌合突出部や嵌合孔の形状は特に限定されるものではない。例えば、端面側から見た端面形状が四角形状、三角形状、多角形状等の形状で、嵌合孔がその形状に対応した四角形状、三角形状、多角形状等の形状であれば良い。あるいは、嵌合突出部が回転カム筒の頭端部の端面の中心位置から偏倚した位置に１つまたは複数の嵌合突出部を設け、嵌合孔を前記嵌合突出部に対向して設けたものであっても良い。またあるいは、嵌合突出部と嵌合孔の端面側から見た端面形状が、軸径方向の内側に向かって凹み、回転方向に対して交叉する辺を有するような形状のものであっても良い。また、嵌合突出部と嵌合孔の形状が同形状でなくとも良い。例えば嵌合孔が三角形状で嵌合突出部が前記三角形状の角部に位置する３つの円形状の嵌合突出部であるような形状のものでも良い。
【００１０】
前記キャップに設ける、弾力を有するように外側に向かって突出した突起部は、キャップの外周面に平行な２つの切り込みを入れ、その部分をキャップの内側から外側に向けて押圧拡張して形成しても良いし、く字型に形成した部材をキャップの外周面に固着して形成しても良い。
【００１１】
前記キャップを、回転カム筒の頭端部に対して回転かつ前後動しないように装着する手段としては、回転カム筒の頭端部に接着剤により接着したり、圧入したり、キャップを回転カム筒の頭端部に装着した後に部分的にかしめるなどしたり、凹凸嵌合等による多種多様の方法がある。
【発明の効果】
【００１２】
本発明の回転繰出式筆記具は前記したような構造なので、駆動体を回転カム筒の内筒体の後端の開口部より突出した頭端部に、連結位置を軸心に沿った方向に位置調整可能に連結できるので、回転繰出機構を作動するための回転軸筒と非回転軸筒との間に生じる隙間の距離を一定にすることができ、その隙間の距離のばらつきがないので装飾用リング等で前記隙間を被覆して隠す必要がなく、製造工程の簡略化や部材等に掛かるコストの低減を図ることができる。
【００１３】
請求項２に係る発明のように、キャップの外周面にコ字型に切断して閉塞頭端面を自由端とし内方に向けて折曲げてなる突片を設けるとともに、回転カム筒の頭端部の外周面に前記突片に対応した係止溝を形成して、前記突片を係止溝に係止して装着すれば、突片の自由端が回転カム筒の頭端部の外周面に形成した係止溝に係止して、キャップの後端側への移動を防止するので、キャップが回転カム筒の頭端部から抜け出すことがない。また、部品に施す加工も比較的容易であり、組立ても突片を係止溝に係止するように挿入すれば良く、いたって簡単である。
【００１４】
回転カム筒の頭端部にキャップを装着してキャップの突片を回転カム筒の頭端部に形成した係止溝を係止する際に、請求項３に係る発明のように、回転カム筒の頭端部に前記のようなガイド溝を設けることにより、回転カム筒の頭端部をキャップ内に挿入し、キャップを回転させて一旦突片をガイド溝に係止することで、そのままキャップを押し込むことで容易に突片を係止溝に係止することができ、回転カム筒の頭端部に対するキャップの回転方向の位置だしが容易にできるという利点がある。
【発明を実施するための最良の形態】
【００１５】
本発明の実施の形態を図面を用いて説明する。
本発明の回転繰出式筆記具１は、便宜上回転繰出式ボールペンとして説明するが、これに限定されるものではない。前軸２ａと後軸２ｂとで形成される軸筒２内には、ボールペン体３をコイルスプリング４により後軸２ｂの後端側方向に付勢し、回転繰出機構に連接して収容してある。
【００１６】
回転繰出機構は、外周面に軸心に沿った方向に係止孔５を有し、両端を開口した内筒体６と（図２を参照）、図５に示すような、外周面に前記係止孔４に係止するカム突起７を有した摺動体８と、前記カム突起７の後端面に当接するカム面９を有した回転カム筒１０と、該回転カム筒１０の頭端部１１に連結する駆動体１２（図１を参照）とで構成されている。従来の回転繰出式機構と同様に、前記内筒体６内には、後端開口部１３より頭端部１１を突出させて回転カム筒１０を収容し、該カム突起７を内筒体６の係止孔５に係止しカム突起７の後端面を回転カム筒１０のカム面９に当接させて収容してある。
【００１７】
前記回転カム筒１０の頭端部１１の頭端面１１ａには嵌合突出部１４が設けてある。嵌合突出部１４の形状は、頭端面１１ａ側から見た平面形状が図６に示すような略Ｙ字型状の柱状の形状としてある。図７〜図１０は嵌合突出部１４の他の実施例を示し、図７は、頭端面１１ａ側から見た平面形状が円形で中心点から等距離の位置で円周方向に１２０度ずれた位置に３つの円柱状の形状の嵌合突出部１４ｂである。図８は、頭端面１１ａ側から見た平面形状が正方形の四角柱状の形状の嵌合突出部１４ｃである。図９は、頭端面１１ａ側から見た平面形状が長方形の四角柱状の形状の嵌合突出部１４ｄである。図１０は、嵌合突出部１４のまたさらなる他の実施例を示し、頭端面１１ａ側から見た平面形状が三角形の三角柱状の形状の嵌合突出部１４ｅである。
【００１８】
内筒体６の後端開口部１３より突出した回転カム筒１０の頭端部１１に装着する金属製のキャップ１５を、図１１〜図１２に示すように、閉塞頭端面１６に前記嵌合突出部１４に対応する嵌合孔１７を設け、外周面に、平行な２つの切り込みを入れその部分をキャップの内側から外側に向けて押圧拡張して形成した軸径方向の外側に向かって突出した弾性を有する突起部１８と、コ字型に切断して閉塞頭端面１６側を自由端１９ａとし内方に向けて折曲げてなる突片１９を、周状に６０度おきの等間隔で交互に３つずつ設けて形成する。
【００１９】
回転カム筒１０の頭端部１１の側面には、前記突片１９の自由端１９ａが係止する係止溝２０と、該係止溝２０の軸心に沿った方向の線上の頭端部１１の頭端面１１ａの位置には、頭端面１１ａに開口し係止溝２０に接続しない、キャップ１５に形成した突片１９の自由先端９ａが係止可能なガイド溝２１を設けてある。
【００２０】
内筒体６の後端開口部５より突出した回転カム筒１０の頭端部１１に金属製のキャップ１５を被覆装着するには、頭端部１１をキャップ１５に挿入して、キャップ１５の突片１９が頭端部１１の頭端面１１ａの縁片に触れるまで挿入し、触れたところでキャップ１５を頭端部１２に対して回転させ、突片１９をガイド溝２１に係止させる。突片１９がガイド溝２１に係止したかどうかはキャップ１５の回転時における感触にて知ることができる。突片１９をガイド溝２１に係止した時点で回転をやめ、その位置でキャップ１５を頭端部１２に押し込めば、突片１９を係止溝２０に係止して装着できる。キャップ１５の突起部１８に対向した回転カム筒１０の頭端部１１には、図５に示すように凹部２２が設けてあり、突起部１８が内側に変形する際の空気抵抗力を弱めさせている。
【００２１】
内筒体６の開口部５より突出した回転カム筒１０の頭端部１１に被覆装着した金属製のキャップ１５に駆動体１２を、キャップ１５に形成した突起部１８により圧入状態で装着してあり、駆動体１２は軸心に沿った方向に摺動可能としてある。駆動体１３の後端は、後軸２ｂの後端に配設した頭冠２３に螺着してある。後軸２ｂの端面は、駆動体１２と頭冠２３とで挟持されており、後軸２ｂを回転すると駆動体１２も連動して回転可能としてある。
【００２２】
前軸２ａには接続筒２４が螺着してあり、該接続筒２４には前記内筒体６の先端部が螺着している。したがって、内筒体６は前軸２ａの回転に連動する。
【００２３】
従来の回転繰出機構と同様に、後軸２ｂを前軸２ａに対して回転させることにより、後軸４の回転に連動して駆動体１２が回転し、該駆動体１２の回転に連動して回転カム筒１０も回転し、該回転カム筒１０のカム面９と摺動体８のカム突起との係合作用によりボールペン体３を前後動させ、該ボールペン体３の筆記先端部を前軸２ａの先端開口部２５より出没させる。
【図面の簡単な説明】
【００２４】
【図１】本発明の実施例を示す回転繰出式筆記具の側面を示す要部を断面した図で、ボールペン体の筆記先端部が前軸の先端開口部に没入した状態を示す図である。
【図２】本発明の実施例を示す回転繰出式筆記具における回転繰出機構の一部を示す図で、内部に摺動体及び回転カム筒を収納した内筒体の拡大平面図である。
【図３】図２の内筒体の拡大正面図である。
【図４】図２のＩ−Ｉ線部分の断面図である。
【図５】内筒体の内部に収納された、摺動体及び回転カム筒の拡大側面図である。
【図６】図５における回転カム筒の正面図である。
【図７】回転カム筒の頭端面に形成した嵌合突出部の他の実施例を示す、回転カム筒の正面図である。
【図８】回転カム筒の頭端面に形成した嵌合突出部の他の実施例を示す、回転カム筒の正面図である。
【図９】回転カム筒の頭端面に形成した嵌合突出部の他の実施例を示す、回転カム筒の正面図である。
【図１０】回転カム筒の頭端面に形成した嵌合突出部の他の実施例を示す、回転カム筒の正面図である。
【図１１】回転カム筒の頭端部に被覆装着する、キャップの拡大側面図である。
【図１２】図７におけるキャップの正面図である。
【図１３】従来の回転繰出式筆記具の側面を示す要部を断面した図で、ボールペン体の筆記先端部が前軸の先端開口部に没入した状態を示す図である。
【符号の説明】
【００２５】
１    回転繰出式筆記具
２    軸筒
２ａ    前軸
２ｂ    後軸
５    係止孔
６    内筒体
７    カム突起
８    摺動体
９    カム面
１０    回転カム筒
１１    頭端部
１２    駆動体
１４    嵌合突出部
１５    キャップ
１７    嵌合孔
１８    突起部
１９    突片
２０    係止溝
【図１】
0004757087.tif 000002
【図２】
0004757087.tif 000003
【図３】
0004757087.tif 000004
【図４】
0004757087.tif 000005
【図５】
0004757087.tif 000006
【図６】
0004757087.tif 000007
【図７】
0004757087.tif 000008
【図８】
0004757087.tif 000009
【図９】
0004757087.tif 000010
【図１０】
0004757087.tif 000011
【図１１】
0004757087.tif 000012
【図１２】
0004757087.tif 000013
【図１３】
0004757087.tif 000014